(57)【要約】【課題】消臭・芳香剤の残量を容易に確認できるとともに、装飾体の動的な風合いを楽しむことができる消臭・芳香剤容器を提供すること。【解決手段】消臭・芳香剤１を収容する容器２の上部に開口部３を形成し、この開口部３に上下移動可能に装飾体４を挿入するとともに、装飾体４の下端部に、固形又はゲル状の消臭・芳香剤１上に載置する錘体５を付設し、消臭・芳香剤１の減少に伴って、装飾体４が下降するようにする。【選択図】  図１
2005006671.tif 000002
【特許請求の範囲】
【請求項１】
消臭・芳香剤を収容する容器の上部に開口部を形成し、該開口部に上下移動可能に装飾体を挿入するとともに、該装飾体の下端部に、固形又はゲル状の消臭・芳香剤上に載置する錘体を付設し、消臭・芳香剤の減少に伴って、装飾体が下降するようにしたことを特徴とする消臭・芳香剤容器。
【請求項２】
装飾体を摺動可能に支持するとともに、装飾体と錘体とを弛みを持たせた所要長さのひも状体により連結し、消臭・芳香剤が任意の量まで減少した段階から、前記ひも状体を介して装飾体を下降させるようにしたことを特徴とする請求項１記載の消臭・芳香剤容器。
【請求項３】
消臭・芳香剤を収容する容器の上部に開口部を形成し、該開口部に装飾体を設けるとともに、該装飾体に、弛みを持たせた所要長さのひも状体を介して、固形又はゲル状の消臭・芳香剤上に載置する錘体を付設し、消臭・芳香剤の減少に伴って、装飾体をひも状体を介して下方に引き寄せることにより、装飾体の形態を変化させるようにしたことを特徴とする消臭・芳香剤容器。
【請求項４】
消臭・芳香剤を収容する容器の上部に開口部を形成し、該開口部に上下移動可能に装飾体を挿入するとともに、該装飾体の下端部に、液状の消臭・芳香剤上に浮かせる浮力体を付設し、消臭・芳香剤の減少に伴って、装飾体が下降するようにしたことを特徴とする消臭・芳香剤容器。
【請求項５】
装飾体を摺動可能に支持するとともに、装飾体と浮力体とを弛みを持たせた所要長さのひも状体により連結し、消臭・芳香剤が任意の量まで減少した段階から、前記ひも状体を介して装飾体を下降させるようにしたことを特徴とする請求項４記載の消臭・芳香剤容器。
【請求項６】
消臭・芳香剤を収容する容器の上部に開口部を形成し、該開口部に装飾体を設けるとともに、該装飾体に、弛みを持たせた所要長さのひも状体を介して、液状の消臭・芳香剤上に浮かせる浮力体を付設し、消臭・芳香剤の減少に伴って、装飾体をひも状体を介して下方に引き寄せることにより、装飾体の形態を変化させるようにしたことを特徴とする消臭・芳香剤容器。
【請求項７】
装飾体が造花からなり、消臭・芳香剤の減少に伴って、萎む花を表現するようにしたことを特徴とする請求項１、２、３、４、５又は６記載の消臭・芳香剤容器。
【請求項８】
消臭・芳香剤容器を上下分離可能に構成したことを特徴とする請求項１、２、３、４、５、６又は７記載の消臭・芳香剤容器。
【発明の詳細な説明】
【０００１】
【発明の属する技術分野】
本発明は、消臭剤や芳香剤（本明細書において、包括して、「消臭・芳香剤」という。）を収容するための容器に関し、特に、消臭・芳香剤の残量を容易に確認できるとともに、装飾体の動的な風合いを楽しむことができる消臭・芳香剤容器に関するものである。
【０００２】
【従来の技術】
例えば、トイレに消臭・芳香剤を置くことによって、不快な臭いを消臭したり、芳香が漂うようにしている。
また、最近では、普通の部屋にも芳香剤を置くことによって、タバコ臭や部屋の臭いを消したり、香りによるアロマテラピーの効果を出したりするようになっている。
この種の芳香剤は、容器内に収容された消臭・芳香剤を徐々に気化させ、この気化ガスを室内に拡散させることにより、消臭や芳香を長期間持続するようにしている。
【０００３】
【発明が解決しようとする課題】
ところで、従来の消臭・芳香剤では、透明では意匠性に欠けることから半透明か不透明の容器が使用されており、遠目で見ただけでは容器内部の消臭・芳香剤の残量が判断しにくく、近づいて容器を透かして見たり、容器を持ち上げて振ったりすることによって消臭・芳香剤の残量を判断している。
【０００４】
本発明は、上記従来の消臭・芳香剤容器が有する問題点に鑑み、消臭・芳香剤の残量を容易に確認できるとともに、装飾体の動的な風合いを楽しむことができる消臭・芳香剤容器を提供することを目的とする。
【０００５】
【課題を解決するための手段】
上記目的を達成するため、本第１発明の消臭・芳香剤容器は、消臭・芳香剤を収容する容器の上部に開口部を形成し、該開口部に上下移動可能に装飾体を挿入するとともに、該装飾体の下端部に、固形又はゲル状の消臭・芳香剤上に載置する錘体を付設し、消臭・芳香剤の減少に伴って、装飾体が下降するようにしたことを特徴とする。
【０００６】
この消臭・芳香剤容器は、消臭・芳香剤を収容する容器の上部に開口部を形成し、該開口部に上下移動可能に装飾体を挿入するとともに、該装飾体の下端部に、固形又はゲル状の消臭・芳香剤上に載置する錘体を付設することから、消臭・芳香剤の減少に伴って下降する装飾体の動きによって消臭・芳香剤の残量を容易に確認できるとともに、装飾体の動きによる動的な風合いを楽しむことができる。
【０００７】
この場合において、装飾体を摺動可能に支持するとともに、装飾体と錘体とを弛みを持たせた所要長さのひも状体により連結し、消臭・芳香剤が任意の量まで減少した段階から、前記ひも状体を介して装飾体を下降させるようにすることができる。
【０００８】
これにより、消臭・芳香剤がある程度減少するまでは、装飾体を初期状態に保ち、例えば、消臭・芳香剤が無くなりかける段階からひも状体を介して装飾体を下降させることができる。
【０００９】
また、同じ目的を達成するため、本第２発明の消臭・芳香剤容器は、消臭・芳香剤を収容する容器の上部に開口部を形成し、該開口部に装飾体を設けるとともに、該装飾体に、弛みを持たせた所要長さのひも状体を介して、固形又はゲル状の消臭・芳香剤上に載置する錘体を付設し、消臭・芳香剤の減少に伴って、装飾体をひも状体を介して下方に引き寄せることにより、装飾体の形態を変化させるようにしたことを特徴とする。
【００１０】
この消臭・芳香剤容器は、消臭・芳香剤を収容する容器の上部に開口部を形成し、該開口部に装飾体を設けるとともに、該装飾体に、弛みを持たせた所要長さのひも状体を介して、固形又はゲル状の消臭・芳香剤上に載置する錘体を付設することから、消臭・芳香剤の減少に伴って、装飾体をひも状体を介して下方に引き寄せることにより、装飾体の形態を変化させ、これによって、消臭・芳香剤の残量を容易に確認できるとともに、装飾体の動きによる動的な風合いを楽しむことができる。
【００１１】
また、同じ目的を達成するため、本第３発明の消臭・芳香剤容器は、消臭・芳香剤を収容する容器の上部に開口部を形成し、該開口部に上下移動可能に装飾体を挿入するとともに、該装飾体の下端部に、液状の消臭・芳香剤上に浮かせる浮力体を付設し、消臭・芳香剤の減少に伴って、装飾体が下降するようにしたことを特徴とする。
【００１２】
この消臭・芳香剤容器は、消臭・芳香剤を収容する容器の上部に開口部を形成し、該開口部に上下移動可能に装飾体を挿入するとともに、該装飾体の下端部に、液状の消臭・芳香剤上に浮かせる浮力体を付設することから、消臭・芳香剤の減少に伴って下降する装飾体の動きによって消臭・芳香剤の残量を容易に確認できるとともに、装飾体の動きによる動的な風合いを楽しむことができる。
【００１３】
この場合において、装飾体を摺動可能に支持するとともに、装飾体と浮力体とを弛みを持たせた所要長さのひも状体により連結し、消臭・芳香剤が任意の量まで減少した段階から、前記ひも状体を介して装飾体を下降させるようにすることができる。
【００１４】
これにより、消臭・芳香剤がある程度減少するまでは、装飾体を初期状態に保ち、例えば、消臭・芳香剤が無くなりかける段階からひも状体を介して装飾体を下降させることができる。
【００１５】
また、同じ目的を達成するため、本第４発明の消臭・芳香剤容器は、消臭・芳香剤を収容する容器の上部に開口部を形成し、該開口部に装飾体を設けるとともに、該装飾体に、弛みを持たせた所要長さのひも状体を介して、液状の消臭・芳香剤上に浮かせる浮力体を付設し、消臭・芳香剤の減少に伴って、装飾体をひも状体を介して下方に引き寄せることにより、装飾体の形態を変化させるようにしたことを特徴とする。
【００１６】
この消臭・芳香剤容器は、消臭・芳香剤を収容する容器の上部に開口部を形成し、該開口部に装飾体を設けるとともに、該装飾体に、弛みを持たせた所要長さのひも状体を介して、液状の消臭・芳香剤上に浮かせる浮力体を付設することから、消臭・芳香剤の減少に伴って、装飾体をひも状体を介して下方に引き寄せることにより、装飾体の形態を変化させ、これによって、消臭・芳香剤の残量を容易に確認できるとともに、装飾体の動きによる動的な風合いを楽しむことができる。
【００１７】
また、装飾体が造花からなり、装飾体が造花からなり、消臭・芳香剤の減少に伴って、萎む花を表現するようにすることができる。
【００１８】
これにより、装飾体の写実的な動きによる動的な風合いを楽しむことができる。
【００１９】
また、消臭・芳香剤容器を上下分離可能に構成することができる。
【００２０】
これにより、消臭・芳香剤を新しいものに容易に交換することができる。
【００２１】
【発明の実施の形態】
以下、本発明の消臭・芳香剤容器の実施の形態を図面に基づいて説明する。
【００２２】
図１に、本発明の消臭・芳香剤容器の第１実施例を示す。
この消臭・芳香剤容器は、消臭・芳香剤１を収容する容器２の上部に開口部３を形成し、該開口部３に上下移動可能に装飾体４を挿入するとともに、該装飾体４の下端部に、固形又はゲル状の消臭・芳香剤１上に載置する錘体５を付設している。
【００２３】
容器２は、本実施例では花瓶を模倣しており、鉢状の容器本体２１の上部に筒状の首部２２を開口部３として形成している。
容器本体２１は、上部２１ａと下部２１ｂとが分離可能に構成され、嵌合構造等により容易に脱着できるようになっており、これにより、消臭・芳香剤１を新しいものに容易に交換できるようになっている。
また、容器本体２１の上部位置、例えば、上部２１ａの肩部には、消臭・芳香剤１の蒸散孔２３を形成するようにする。この蒸散孔２３は、消臭・芳香剤容器の用途、消臭・芳香剤１の特性等に合わせて、その大きさや個数を適宜設定するようにし、さらに、必要に応じて、シール等を貼ることによって、消臭・芳香剤１の蒸散量を調節することができるようにすることができる。
【００２４】
一方、装飾体４は、本実施例では花を模倣した造花からなり、合成樹脂や不織布等の適宜材料により形成された茎４１と、該茎４１の中間に形成された弾性変形可能な葉４２と、茎４１の先端に形成された弾性変形可能な花弁４３とを備えている。
また、この装飾体４の下端部には錘体５が付設されており、図１に示すように、該錘体５は、固形又はゲル状の消臭・芳香剤１上に位置して、消臭・芳香剤１の減少に伴って下降することにより、装飾体４を容器２内部に引き込む重量を備えている。
【００２５】
かくして、本第１実施例の消臭・芳香剤容器は、消臭・芳香剤１を収容する容器２の上部に開口部を形成し、該開口部に上下移動可能に装飾体４を挿入するとともに、該装飾体４の下端部に、固形又はゲル状の消臭・芳香剤１上に載置する錘体５を付設することから、消臭・芳香剤１の減少に伴って下降する装飾体４の動きによって消臭・芳香剤１の残量を容易に確認できるとともに、装飾体４の動きによる動的な風合いを楽しむことができる。
この場合、装飾体４としての造花は、図１に示すように、錘体５が消臭・芳香剤１の減少に伴って下降することにより、容器２内部に引き込まれ、拡開する容器２の首口２２ａで葉４２と花弁４３が案内されることにより、徐々に萎む花を表現することができる。
【００２６】
一方、このような消臭・芳香剤容器において、図２に示す第２実施例では、装飾体４を開口部３で摺動可能に支持するとともに、装飾体４と錘体５とを弛みを持たせた所要長さのひも状体７により連結し、消臭・芳香剤１が任意の量まで減少した段階から、前記ひも状体７を介して装飾体４を下降させるようにしている。
装飾体４は、例えば、容器２の開口部３に筒状の支持部材８を固定し、この支持部材８により装飾体４の花の茎４１を摺動可能に支持するようにする。
この場合、花の茎４１は、支持部材８との摩擦抵抗によって、ひも状体７による引っ張り力が作用するまでは当初の位置に保持される。
なお、本実施例においては、装飾体４としての造花を、錘体５が消臭・芳香剤１の減少に伴って下降することにより、容器２内部に引き込み、拡開する容器２の首口２２ａで花弁４３が案内されることにより、徐々に萎む花を表現することができるようにしたが、図３に示す変形実施例のように、装飾体４の花の茎４１を案内する支持部材８を、容器２の首口２２ａの上部に、例えば、花弁４３を支える萼のように突出して形成することもできる。
【００２７】
このように、消臭・芳香剤容器を形成することにより、消臭・芳香剤１がある程度減少するまでは、装飾体４を初期状態に保ち、例えば、消臭・芳香剤１が無くなりかける段階からひも状体７を介して装飾体４を下降させることができる。
【００２８】
このほか、図４に示す第３実施例のように、装飾体４を下降させず、ほぼ定位置に位置するようにして、装飾体４に、弛みを持たせた所要長さのひも状体７を介して、固形又はゲル状の消臭・芳香剤１上に載置する錘体５を付設し、消臭・芳香剤１の減少に伴って、装飾体４をひも状体７を介して下方に引き寄せることにより、ひも状体７を取り付けた装飾体４の形態を変化させることができる。
この場合、ひも状体７の上端を装飾体４に直接接着等することにより、装飾体４を操作することができる。
【００２９】
次に、図５に、本発明の消臭・芳香剤容器の第４実施例を示す。
この消臭・芳香剤容器は、消臭・芳香剤１を収容する容器２の上部に開口部３を形成し、該開口部３に上下移動可能に装飾体４を挿入するとともに、該装飾体４の下端部に、液状の消臭・芳香剤１上に浮かせる浮力体６を付設している。
また、浮力体６には、消臭・芳香剤容器が倒れたときに、液状の消臭・芳香剤１が容器２の開口部３等からこぼれにくくするためのスポンジや不織布からなる仕切り部材６１を配設することができる。
【００３０】
浮力体６は、図５に示すように、液状の消臭・芳香剤１上に位置する浮力と、消臭・芳香剤１の減少に伴って下降することにより、装飾体４を容器２内部に引き込む重量とを備えている。
なお、この消臭・芳香剤容器のその他の構成は、第１実施例の消臭・芳香剤容器とほぼ同じであるため、同一部材は同一符号を記すことにより、その説明を省略する。
【００３１】
かくして、本第４実施例の消臭・芳香剤容器は、消臭・芳香剤１を収容する容器２の上部に開口部３を形成し、該開口部３に上下移動可能に装飾体４を挿入するとともに、該装飾体４の下端部に、液状の消臭・芳香剤１上に浮かせる浮力体６を付設することから、消臭・芳香剤１の減少に伴って下降する装飾体４の動きによって消臭・芳香剤１の残量を容易に確認できるとともに、装飾体４の動きによる動的な風合いを楽しむことができる。
この場合、装飾体４としての造花は、図５に示すように、浮力体６が消臭・芳香剤１の減少に伴って下降することにより、容器２内部に引き込まれ、拡開する容器２の首口２２ａで葉４２と花弁４３が案内されることにより、徐々に萎む花を表現することができる。
【００３２】
一方、このような消臭・芳香剤容器において、図６に示す第５実施例では、装飾体４を開口部３で摺動可能に支持するとともに、装飾体４と浮力体６とを弛みを持たせた所要長さのひも状体７により連結し、消臭・芳香剤１が任意の量まで減少した段階から、前記ひも状体７を介して装飾体４を下降させるようにしている。
装飾体４は、例えば、容器２の開口部３に筒状の支持部材８を固定し、この支持部材８により装飾体４の花の茎４１を摺動可能に支持するようにする。
この場合、花の茎４１は、支持部材８との摩擦抵抗によって、ひも状体７による引っ張り力が作用するまでは当初の位置に保持される。また、浮力体６は支持部材８の摩擦抵抗に抗して、装飾体４を引き込むだけの重量を備えている。
【００３３】
このように、消臭・芳香剤容器を形成することにより、消臭・芳香剤１がある程度減少するまでは、装飾体４を初期状態に保ち、例えば、消臭・芳香剤１が無くなりかける段階からひも状体７を介して装飾体４を下降させることができる。
なお、本実施例においては、装飾体４としての造花を、浮力体６が消臭・芳香剤１の減少に伴って下降することにより、容器２内部に引き込み、拡開する容器２の首口２２ａで花弁４３が案内されることにより、徐々に萎む花を表現することができるようにしたが、装飾体４の花の茎４１を案内する支持部材８を、容器２の首口２２ａの上部に、例えば、花弁４３を支える萼のように突出して形成することもできる。
【００３４】
このほか、装飾体４を下降させず、ほぼ定位置に位置するようにして、装飾体４に、弛みを持たせた所要長さのひも状体７を介して、液状の消臭・芳香剤１上に浮かせる浮力体６を付設し、消臭・芳香剤１の減少に伴って、装飾体４をひも状体７を介して下方に引き寄せることにより、ひも状体７を取り付けた装飾体４の形態を変化させることができる。
この場合、ひも状体７の上端を装飾体４に直接接着等することにより、装飾体４を操作することができる。
【００３５】
以上、本発明の実施例を説明したが、本発明の消臭・芳香剤容器の構成は、この実施例の記載に限定されるものではなく、その趣旨を逸脱しない範囲において適宜に変更することが可能であり、例えば、容器や装飾体の形状は適宜変更することが可能である。
【００３６】
【発明の効果】
本第１発明の消臭・芳香剤容器によれば、消臭・芳香剤を収容する容器の上部に開口部を形成し、該開口部に上下移動可能に装飾体を挿入するとともに、該装飾体の下端部に、固形又はゲル状の消臭・芳香剤上に載置する錘体を付設することから、消臭・芳香剤の減少に伴って下降する装飾体の動きによって消臭・芳香剤の残量を容易に確認できるとともに、装飾体の動きによる動的な風合いを楽しむことができる。
【００３７】
この場合、装飾体を摺動可能に支持するとともに、装飾体と錘体とを弛みを持たせた所要長さのひも状体により連結し、消臭・芳香剤が任意の量まで減少した段階から、前記ひも状体を介して装飾体を下降させるようにすることにより、消臭・芳香剤がある程度減少するまでは、装飾体を初期状態に保ち、例えば、消臭・芳香剤が無くなりかける段階からひも状体を介して装飾体を下降させることができる。
【００３８】
また、本第２発明の消臭・芳香剤容器によれば、消臭・芳香剤を収容する容器の上部に開口部を形成し、該開口部に装飾体を設けるとともに、該装飾体に、弛みを持たせた所要長さのひも状体を介して、固形又はゲル状の消臭・芳香剤上に載置する錘体を付設することから、消臭・芳香剤の減少に伴って、装飾体をひも状体を介して下方に引き寄せることにより、装飾体の形態を変化させ、これによって、消臭・芳香剤の残量を容易に確認できるとともに、装飾体の動きによる動的な風合いを楽しむことができる。
【００３９】
また、本第３発明の消臭・芳香剤容器によれば、消臭・芳香剤を収容する容器の上部に開口部を形成し、該開口部に上下移動可能に装飾体を挿入するとともに、該装飾体の下端部に、液状の消臭・芳香剤上に浮かせる浮力体を付設することから、消臭・芳香剤の減少に伴って下降する装飾体の動きによって消臭・芳香剤の残量を容易に確認できるとともに、装飾体の動きによる動的な風合いを楽しむことができる。
【００４０】
この場合、装飾体を摺動可能に支持するとともに、装飾体と浮力体とを弛みを持たせた所要長さのひも状体により連結し、消臭・芳香剤が任意の量まで減少した段階から、前記ひも状体を介して装飾体を下降させるようにすることにより、消臭・芳香剤がある程度減少するまでは、装飾体を初期状態に保ち、例えば、消臭・芳香剤が無くなりかける段階からひも状体を介して装飾体を下降させることができる。
【００４１】
また、本第４発明の消臭・芳香剤容器によれば、消臭・芳香剤を収容する容器の上部に開口部を形成し、該開口部に装飾体を設けるとともに、該装飾体に、弛みを持たせた所要長さのひも状体を介して、液状の消臭・芳香剤上に浮かせる浮力体を付設することから、消臭・芳香剤の減少に伴って、装飾体をひも状体を介して下方に引き寄せることにより、装飾体の形態を変化させ、これによって、消臭・芳香剤の残量を容易に確認できるとともに、装飾体の動きによる動的な風合いを楽しむことができる。
【００４２】
また、装飾体が造花からなり、装飾体が造花からなり、消臭・芳香剤の減少に伴って、萎む花を表現するようにすることにより、装飾体の写実的な動きによる動的な風合いを楽しむことができる。
【００４３】
また、消臭・芳香剤容器を上下分離可能に構成することにより、消臭・芳香剤を新しいものに容易に交換することができる。
【図面の簡単な説明】
【図１】本発明の消臭・芳香剤容器の第１実施例を示し、（ａ）は消臭・芳香剤が満たされた状態を示す断面図、（ｂ）は消臭・芳香剤が半減した状態を示す断面図、（ｃ）は消臭・芳香剤がほぼ無くなった状態を示す断面図である。
【図２】本発明の消臭・芳香剤容器の第２実施例を示し、（ａ）は消臭・芳香剤が満たされた状態を示す断面図、（ｂ）は消臭・芳香剤が半減した状態を示す断面図、（ｃ）は消臭・芳香剤がほぼ無くなった状態を示す断面図である。
【図３】本発明の消臭・芳香剤容器の第２実施例の変形実施例を示し、（ａ）は消臭・芳香剤が満たされた状態を示す断面図、（ｂ）は消臭・芳香剤がほぼ無くなった状態を示す断面図である。
【図４】本発明の消臭・芳香剤容器の第３実施例の変形実施例を示し、（ａ）は消臭・芳香剤が満たされた状態を示す断面図、（ｂ）は消臭・芳香剤がほぼ無くなった状態を示す断面図である。
【図５】本発明の消臭・芳香剤容器の第４実施例を示し、（ａ）は消臭・芳香剤が満たされた状態を示す断面図、（ｂ）は消臭・芳香剤が半減した状態を示す断面図、（ｃ）は消臭・芳香剤がほぼ無くなった状態を示す断面図である。
【図６】本発明の消臭・芳香剤容器の第５実施例を示し、（ａ）は消臭・芳香剤が満たされた状態を示す断面図、（ｂ）は消臭・芳香剤が半減した状態を示す断面図、（ｃ）は消臭・芳香剤がほぼ無くなった状態を示す断面図である。
【符号の説明】
１    消臭・芳香剤
２    容器
２１  容器本体
２１ａ  上部
２１ｂ  下部
２２  首部
２２ａ  首口
３    開口部
４    装飾体
４１  茎
４２  葉
４３  花弁
５    錘体
６    浮力体
７    ひも状体
８    支持部材
【図１】
2005006671.tif 000003
【図２】
2005006671.tif 000004
【図３】
2005006671.tif 000005
【図４】
2005006671.tif 000006
【図５】
2005006671.tif 000007
【図６】
2005006671.tif 000008